【手続補正書】
【提出日】平成16年4月14日(2004.4.14)
【手続補正１】
【補正対象書類名】明細書
【補正対象項目名】全文
【補正方法】変更
【補正の内容】
【発明の名称】圧力式ソイルネイリング（登録商標）用パッカー機およびこれを用いたソイルネイリング（登録商標）工法
【特許請求の範囲】
【請求項１】掘削面に穿孔されたホールに挿入されてグラウチング領域を密閉させるためのパッカー機であって、ネイルと、前記ネイルの長さ方向に、中心部位に互いに所定の間隔で嵌められる第１のパッキングおよび第２のパッキングと、前記第１のパッキングおよび第２のパッキングの外周面を囲んで設けられ、第１のパッキングと第２のパッキングとの間の空間を密閉する不織布と、前記第１のパッキングおよび第２のパッキングを貫通し、ただしその一端部が前記ネイルの一端部に近接した位置に設けられ、前記グラウチング領域にグラウト薬液を注入するための第１のグラウチング管と、前記第１のパッキングおよび第２のパッキングを貫通し、ただしその一端部が前記第２のパッキングに近接するように設けられ、前記グラウチングによるグラウチング領域の空気および異物を除去するための空気および異物除去管と、前記第１のパッキングを貫通し、ただしその一端部が前記第１のパッキングと第２のパッキングとの間の空間に位置するように設けられ、前記不織布により密閉された空間に、ゲル化により体積が膨張される発砲ウレタンを注入するための発砲ウレタン注入管とを備える圧力式ソイルネイリング（登録商標）用パッカー機。
【請求項２】前記第１のパッキングおよび第２のパッキングを貫通し、ただしその端部が前記第２のパッキングに近接するように設けられ、前記グラウチング領域にグラウト薬液を注入するための第２のグラウチング管がさらに備えられることを特徴とする請求項１に記載の圧力式ソイルネイリング（登録商標）用パッカー機。
【請求項３】前記第１、第２のパッキングと前記不織布とを結合するために、前記第１、第２のパッキングの外周面に沿って前記不織布の外側に設けられ、ネジの締付けにより前記不織布を前記第１、第２のパッキングの外周面に密着結束するワイヤーリングがさらに備えられることを特徴とする請求項１に記載の圧力式ソイルネイリング（登録商標）用パッカー機。
【請求項４】前記第１、第２のパッキングはゴム材質であることを特徴とする請求項１に記載の圧力式ソイルネイリング（登録商標）用パッカー機。
【請求項５】圧力式ソイルネイリング（登録商標）用パッカー機を用いたソイルネイリング（登録商標）工法であって、斜面や掘削壁面が自立できる安定した高さに地盤を掘削するステップと、前記掘削地盤の適正位置に所定の直径のホールを穿孔して穿孔ホールを形成するステップと、ネイルが装着された前記圧力式ソイルネイリング（登録商標）用パッカー機を穿孔ホールに嵌め込んで設けるステップと、前記圧力式ソイルネイリング（登録商標）用パッカー機を穿孔ホールの内径に緊密に密着させてグラウト薬液を注入するための外部に隔離されたグラウチング領域を形成するステップと、グラウト薬液を前記グラウチング領域に注入して充填するステップと、前記グラウチング領域にグラウト薬液が注入されるとき、グラウチング領域内の空気および異物を外部へ排出するステップと、前記空気および異物が排出される通路を遮断して前記グラウチング領域を閉鎖するステップと、穿孔ホールの周辺地盤に形成された空隙や節理にもグラウト薬液が充填されるように、グラウト薬液を前記グラウチング領域に加圧充填するステップとを含んで構成される圧力式ソイルネイリング（登録商標）用パッカー機を用いたソイルネイリング（登録商標）工法。
【請求項６】グラウト薬液を前記グラウチング領域に加圧充填するステップが完了し、所定の時間が経過した後、グラウト薬液を再度注入するステップをさらに含むことを特徴とする請求項５に記載の圧力式ソイルネイリング（登録商標）用パッカー機を用いたソイルネイリング（登録商標）工法。
【発明の詳細な説明】
【０００１】
【発明の属する技術分野】
本発明は、ソイルネイリング（登録商標）用パッカー機およびソイルネイリング（登録商標）工法に関し、特に、穿孔されたホールの内部に形成されるグラウチング領域の緊密な密閉および圧力によるグラウチング、すなわち、グラウト薬液の加圧充填により施工性を向上させるのに好適な圧力式ソイルネイリング（登録商標）用パッカー機およびこれを用いたソイルネイリング（登録商標）工法に関する。
【０００２】
【従来の技術】
一般的に、産業が発達すると共に、団地の組成や新都市の建設等で、山地等の急傾斜地を開発することが不可避になったのが現状である。
【０００３】
従って、土地の利用度を高め、住居団地の安定性や快適性を確保すると共に、施工性、経済性および環境保全性を充足することができる斜面安定対策工法の確立が求められている。
【０００４】
斜面安定工法としてもっとも広く採用されているソイルネイリング（登録商標）は、地盤補強工法であり、斜面補強および掘削面に対する柔軟な支保等の目的で、ヨーロッパと米国地域において広く活用されている。
【０００５】
このようなソイルネイリング（登録商標）工法は、ネイルをプレストレシングなしに比較的細かい間隔で原地盤に挿入して、原地盤そのものの全体的なせん断強度を増大し、工事の途中や完了後に予想される地盤の変位をなるべく抑制する工法である。
【０００６】
特に、掘削地の代替構造物の場合、重量コンクリート壁体、親杭壁体および現場打設スラリー壁体等、他の工法と比較してソイルネイリング（登録商標）工法は、低廉な工事費用、軽量の施工装備、現場の与件および地盤条件の適応性、柔軟性など、相対的な長所を有しており、地震等の動的荷重の場合も、大きな変位がなく抵抗能力を十分に発揮することができる特徴を有する。
【０００７】
このようなソイルネイリング（登録商標）工法の基本的な設計概念は、ネイリングにより補強された領域の土塊が、まるで一体化した擁壁のような作用をすることにより、いかなる傾斜面についても安定を維持するとのことである。
【０００８】
従来のソイルネイリング（登録商標）工法は、地盤掘削、ネイルの設置、ショットクリートの打設、掘削等の順に行われるが、これを図５（ａ）ないし（ｄ）、および図６を参照して説明すると、次のとおりである。
【０００９】
まず、図５（ａ）に示されたように、斜面や掘削壁面１が自立できる安定した高さに地盤を掘削する。
【００１０】
すなわち、法面保護孔と補強材を設けるための地盤掘削は、一般的な地盤掘削と根本的に同一である。
【００１１】
しかし、ソイルネイリング（登録商標）における掘削面は、本体構造物として用いられる場合が多いため、正確な位置と形状に掘削する必要がある。また、土質により地盤が自立できる掘削の深さ、注入グラウトやショットクリートが所定の強度を得るための養成期間等を考慮する。
【００１２】
通常、掘削の深さの限界は、地盤の見かけ粘着力と関係があり、段階別の鉛直掘削は最大２ｍに制限することが好ましい。
【００１３】
次に、図５（ｂ）に示されたように、補強材を設けるために壁面１を穿孔した後、穿孔されたホールにネイル３を設ける。
【００１４】
このとき、前記穿孔は穿岩機やボーリングマシン等を用い、大部分は流体（空気、水、セメントグラウト、ベントナイト）を用いる。
【００１５】
通常、ソイルネイリング（登録商標）工法に用いるネイル３は、異形鉄筋や鋼棒等を用いることができ、グラウトと付着される部分の有害な土や油等は予め除去しなければならない。
【００１６】
永久構造物に用いるネイル３は、設計時に腐食に対する余裕を考慮するか、または防錆処理した強材を用いなければならず、前記ネイル３は継ぎ目のないように用いることが好ましいが、挿入長が長い過ぎてやむを得ず連結しなければならない場合は、カップラーを用いなければならず、一般溶接で連結してはならない。
【００１７】
ネイル３の挿入時には、グラウトの最小厚さを確保するために、ネイル３が穿孔ホールの中央に位置するように、間隔材を用いることが好ましい。
【００１８】
次に、図５（ｃ）に示されたように、ショットクリートを打設した後、ショットクリートが養成されると、図５（ｄ）に示されたように、さらに地盤掘削を実施する。
【００１９】
一方、穿孔されたホールにネイル３を設ける過程は、次のように行われる。
【００２０】
まず、前記穿孔されたホール１１にネイル３を挿入した後、無圧でセメントミルク（不図示）をホールの内部にグラウチングする。
【００２１】
次に、ワイヤーメッシュ１３を前記壁面１に設けた後、前記ワイヤーメッシュ１３上に鉄筋１５を横に配置する。
【００２２】
次いで、前記ネイル３に締結されるプレート１７およびナット１９で前記鉄筋１５を圧着固定した後、ショットクリートを前記壁面に向かって打設する。
【００２３】
このとき、前記グラウチングは穿孔されたホール１１の内部を完全に充填するようにしなければならず、グラウト薬液が周辺地盤に浸透される傾向によって、３〜６回にわたって繰返し実施しなければならない。
【００２４】
【発明が解決しようとする課題】
しかし、上記のような従来のソイルネイリング（登録商標）工法は、重力式グラウチングを適用するため固結時間が長く、収縮現象を補完するためには、３〜６回程度のグラウチングを繰り返さなければならなかった。
【００２５】
これにより、従来のソイルネイリング（登録商標）工法は、工程が長く施工性が低下するため、工事期間が長引いてしまう問題があった。
【００２６】
さらに、穿孔されたホールが下向に傾斜することで、グラウチング領域にグラウト薬液を充填することが不可能であり、これは穿孔ホールと地盤との間に間隙を生じさせ、地盤補強体に致命的な欠陥を引き起こす問題点があった。
【００２７】
本発明は、上記のような従来技術の問題点を解決するために案出したものであり、パッカー機に急結性膨張剤を注入してグラウチング領域を完全に密閉させた状態でグラウチングを進行することにより、空気を短縮させることができ、施工性を向上させることができる圧力式ソイルネイリング（登録商標）用パッカー機およびこれを用いたソイルネイリング（登録商標）工法を提供することにその目的がある。
【００２８】
さらに、本発明の他の目的は、加圧方式のソイルネイリング（登録商標）により、穿孔ホールと地盤との間の間隙や地盤の空隙にまでグラウト薬液を充填することにより、地盤補強体の安定性を向上させるのに好適な圧力式ソイルネイリング（登録商標）用パッカー機およびこれを用いたソイルネイリング（登録商標）工法を提供することにある。
【００２９】
【課題を解決するための手段】
上記の目的を達成するための本発明の圧力式ソイルネイリング（登録商標）用パッカー機は、掘削面に穿孔されたホールに挿入されてグラウチング領域を密閉させるためのパッカー機であって、ネイルと、前記ネイルの長さ方向に、中心部位に互いに所定の間隔で嵌められる第１のパッキングおよび第２のパッキングと、前記第１のパッキングおよび第２のパッキングの外周面を囲んで設けられ、第１のパッキングと第２のパッキングとの間の空間を密閉する不織布と、前記第１のパッキングおよび第２のパッキングを貫通し、ただしその一端部が前記ネイルの一端部に近接した位置に設けられ、前記グラウチング領域にグラウト薬液を注入するための第１のグラウチング管と、前記第１のパッキングおよび第２のパッキングを貫通し、ただしその一端部が前記第２のパッキングに近接するように設けられ、前記グラウチングによるグラウチング領域の空気および異物を除去するための空気および異物除去管と、前記第１のパッキングを貫通し、ただしその一端部が前記第１のパッキングと第２のパッキングとの間の空間に位置するように設けられ、前記不織布により密閉された空間に、ゲル化により体積が膨張される発砲ウレタンを注入するための発砲ウレタン注入管とを含んで構成されることを特徴とする。
【００３０】
ここで、前記圧力式ソイルネイリング（登録商標）用パッカー機は、前記第１のパッキングおよび第２のパッキングを貫通し、ただしその端部が前記第２のパッキングに近接するように設けられ、前記グラウチング領域にグラウト薬液を注入するための第２のグラウチング管がさらに備えられ、前記第１、第２のパッキングと前記不織布とを結合するために、前記第１、第２のパッキングの外周面に沿って前記不織布の外側に設けられ、ネジの締付けにより前記不織布を前記第１、第２のパッキングの外周面に密着結束するワイヤーリングがさらに備えられることが好ましい。
【００３１】
なお、本発明の圧力式ソイルネイリング（登録商標）用パッカー機を用いたソイルネイリング（登録商標）工法は、斜面や掘削壁面が自立できる安定した高さに地盤を掘削するステップと、前記掘削地盤の適正位置に所定の直径のホールを穿孔して穿孔ホールを形成するステップと、ネイルが装着された前記圧力式ソイルネイリング（登録商標）用パッカー機を穿孔ホールに嵌め込んで設けるステップと、前記ソイルネイリング（登録商標）用パッカー機を穿孔ホールの内径に緊密に密着させてグラウト薬液を注入するための隔離されたグラウチング領域を形成するステップと、グラウト薬液を前記グラウチング領域に注入して充填するステップと、前記グラウチング領域にグラウト薬液が注入されるとき、グラウチング領域内の空気および異物を外部へ排出するステップと、前記空気および異物が排出される通路を遮断して前記グラウチング領域を閉鎖するステップと、穿孔ホールの周辺地盤に形成された空隙や節理にもグラウト薬液が充填されるように、グラウト薬液を前記グラウチング領域に加圧充填するステップとを含んで構成されることをその技術的特徴とする。
【００３２】
さらに、グラウト薬液を前記グラウチング領域に加圧充填するステップが完了し、所定の時間が経過した後、グラウト薬液を再度注入するステップを含むことができる。
【００３３】
【発明の実施の形態】
以下、添付の図面を参照して、本発明の圧力式ソイルネイリング（登録商標）用パッカー機を説明する。
【００３４】
図１は、本発明の圧力式ソイルネイリング（登録商標）用パッカー機の斜視図であり、図２は、本発明の圧力式ソイルネイリング（登録商標）用パッカーの分解斜視図であり、図３は、本発明の圧力式ソイルネイリング（登録商標）用パッカー機の設置の様子を説明するための地盤断面図である。
【００３５】
図面に示されたように、本発明の圧力式ソイルネイリング（登録商標）用パッカー機は、外周面にネジ凹凸が設けられたネイル３１の長さ方向に、互いに所定の間隔で第１のパッキング３３ａおよび第２のパッキング３３ｂが嵌められる。
【００３６】
また、前記第１のパッキング３３ａおよび第２のパッキング３３ｂの外周面を囲んで前記第１のパッキング３３ａと第２のパッキング３３ｂとの間のスペースを密閉させる不織布３５が設けられる。
【００３７】
ここで、前記不織布３５の代わりに、ナイロンまたはテント生地等を用いることができ、前記第１のパッキング３３ａと第２のパッキング３３ｂとの間のスペースに注入される発泡ウレタンの体積の膨張による圧力に十分に耐えられる程度の材質であれば、いずれであってもよい。
【００３８】
また、前記第１のパッキング３３ａおよび第２のパッキング３３ｂの材質は、ゴム、軟質プラスチック、木、鉄板等を用いることができ、このうちゴム材質がパッキングの材質としてはもっとも好ましい。
【００３９】
すなわち、ゴム材質のパッキングを用いる場合、下記においてより詳細に説明するグラウチング管、または空気および異物除去管、発砲ウレタン注入管等とパッキング間により緊密な結束が可能であるからである。
【００４０】
また、本発明の圧力式ソイルネイリング（登録商標）用パッカー機は、前記第１のパッキング３３ａおよび第２のパッキング３３ｂを貫通し、前記グラウチング領域に１次的にグラウト薬液を注入するための第１のグラウチング管３７が設けられ、前記第１のパッキング３３ａおよび第２のパッキング３３ｂを貫通し、前記グラウチングによるグラウチング領域の空気および異物を排出するための空気および異物除去管３９が設けられる。
【００４１】
このとき、前記第１のグラウチング管３７は、その一端部が前記穿孔ホールの終端部、すなわち、前記ネイル３１の一端部に近接するように設けられることが好ましく、前記空気および異物除去管３９の一端部は、前記第２のパッキング３３ｂに近接するように設けられることが好ましい。
【００４２】
参考までに、前記空気および異物除去管３９は、グラウト薬液が注入されることにより、前記グラウチング領域に発生する空気や水等の異物を穿孔ホールの外部へ排出させるだけでなく、空気および異物を除去した後、その入口を閉鎖させることにより、前記グラウチング領域に圧力が加えられるようにする。
【００４３】
このとき、前記グラウチング領域に圧力が加えられると、前記グラウト薬液が固結されると同時に、前記圧力により穿孔ホールの周辺地盤に形成された空隙または節理にも前記グラウト薬液が緊密に充填され、ソイルネイル（登録商標）の全体的な安定性を向上させることができる。
【００４４】
また、本発明の圧力式ソイルネイリング（登録商標）用パッカー機は、前記不織布３５により密閉された空間に、発泡性ウレタン等の急結性膨張剤を注入するための発砲ウレタン注入管４３が、前記第１のパッキング３３ａを貫通するように設けられる。
【００４５】
ここで、前記発砲ウレタン注入管４３の一端部は、前記第１のパッキング３３ａと第２のパッキング３３ｂとの間の空間に位置する。
【００４６】
前記発泡性ウレタンは、ネイル３１が設けられた状態でウレタン薬液として注入されてゲル化されるが、前記ウレタン薬液は、前記第１のパッキング３３ａと第２のパッキング３３ｂとの間の空間においてゲル化が進行され、それにより体積の膨張を伴う。
【００４７】
通常、ウレタン薬液は、発砲倍率、機械的強度など、諸物性を極めて多様に調節することができるという長所があり、実際にウレタン薬液がゲル化される時間は数分に過ぎないので、これを不織布３５により密閉された空間に充填する場合、充填して数分後には１次グラウト薬液を注入することができる。
【００４８】
前記不織布３５と前記第１、第２のパッキング３３ａ、３３ｂとを結合するために、前記第１、第２のパッキング３３ａ、３３ｂの外周面に沿って前記不織布３５の外側にワイヤーリング４５が設けられる。
【００４９】
前記ワイヤーリング４５は、ネジ締付け方式により、前記不織布３５を第１、第２のパッキング３３ａ、３３ｂの外周面と密着結束することにより、ウレタン薬液が不織布３５内に注入されて体積の膨張が生じても、より堅固な支持が可能である。
【００５０】
さらに、本発明の圧力式ソイルネイリング（登録商標）用パッカー機は、第２のグラウチング管４１を含む。
【００５１】
ここで、前記第２のグラウチング管４１は、前記第１のパッキング３３ａおよび第２のパッキング３３ｂを貫通し、ただしその一端部が前記第２のパッキング３３ｂに近接するように設けられる。
【００５２】
このような第２のグラウチング管４１は、１次グラウチングの後、セメントの乾燥収縮により穿孔ホールの内部にスペースが生じる場合、これを埋めるための２次グラウト薬液を注入する管である。
【００５３】
前記第２のグラウチング管４１は、１次グラウト薬液が充填されていない空間に加圧方式により２次グラウト薬液を充填し、グラウチング領域の全体にわたって緊密な充填が行われるようにすると共に、穿孔ホールの周辺地盤に形成された空隙にまでグラウト薬液が十分に充填されるようにする。
【００５４】
以下、本発明の圧力式ソイルネイル（登録商標）用パッカー機を用いたソイルネイリング（登録商標）工法を、図４を参照してステップ別に説明する。ただし、これは、本発明のソイルネイリング（登録商標）用パッカー機の使用を中心に一つの実施例を説明するものである。
【００５５】
本発明の圧力式ソイルネイリング（登録商標）用パッカー機を用いたソイルネイリング（登録商標）工法は、地盤掘削ステップＳ１０１と、穿孔ホール形成ステップＳ１０２と、圧力式ソイルネイリング（登録商標）用パッカー機設置ステップＳ１０３と、隔離されたグラウチング領域形成ステップＳ１０４と、グラウト薬液充填ステップＳ１０５と、空気および異物排出ステップＳ１０６と、グラウチング領域密閉ステップＳ１０７と、グラウト薬液加圧充填ステップＳ１０８とを含んで構成される。
【００５６】
このような本発明のソイルネイリング（登録商標）工法を詳細に説明すると、まず、斜面や掘削壁面が自立できる安定した高さに地盤を掘削するステップＳ１０１が進行される。
【００５７】
次に、前記掘削地盤の適正位置に所定の直径のホールを穿孔して穿孔ホールを形成するステップＳ１０２が進行される。
【００５８】
次に、前記掘削地盤の穿孔されたホールに、図１に示されたようなネイル３１が装着された圧力式ソイルネイリング（登録商標）用パッカー機を嵌め込んで設けるステップＳ１０３が進行される。
【００５９】
次に、前記圧力式ソイルネイリング（登録商標）用パッカー機を穿孔ホールの直径に緊密に密着させ、隔離されたグラウチング領域を形成するステップＳ１０４が進行される。
【００６０】
そのために、前記発砲ウレタン注入管４３を通じて、前記不織布３５により密閉された第１のパッキング３３ａと第２のパッキング３３ｂとの間の空間に、ウレタン薬液等の急結性膨張剤を注入することになる。
【００６１】
前記ウレタン薬液は、上記において言及したように、ゲル化される速度がきわめて速いので、注入されて数分後にはゲル化され、体積の膨張が生じる。
【００６２】
このとき、不織布３５が膨張されるので、前記不織布３５が穿孔ホールの内径と緊密に密着される結果となる。
【００６３】
これにより、グラウト薬液を注入することができる隔離されたグラウチング領域が前記穿孔ホールの内部に形成される。
【００６４】
次に、セメントミルク等のグラウト薬液をグラウチング領域に注入して充填するステップＳ１０５が進行される。
【００６５】
そのために、前記第１のグラウチング管３７を通じて、隔離されたグラウチング領域にグラウト薬液を注入することになる。
【００６６】
このとき、前記グラウト薬液が前記グラウチング領域に円滑に充填されるためには、前記グラウチング領域内の空気や異物等が外部へ排出されなければならない。
【００６７】
従って、上記のようにグラウチング領域にグラウト薬液が充填されると同時に、空気および異物除去管３９を通じて、空気や異物等を外部へ排出するステップＳ１０６が進行される。
【００６８】
次に、空気および異物の排出通路を遮断してグラウチング領域を密閉するステップが進行される。
【００６９】
そのために、前記空気および異物が排出される通路の役割を果たす空気および異物除去管３９を閉鎖することになる。
【００７０】
次に、グラウト薬液を注入し続けることにより、グラウト薬液を前記グラウチング領域に加圧充填するステップＳ１０８が進行される。
【００７１】
このようなグラウト薬液の加圧充填により、穿孔ホールの周辺地盤に形成された空隙や節理にもグラウト薬液が充填されることになる。
【００７２】
ここで、さらに、グラウト薬液を加圧充填するステップＳ１０８が完了した後、所定の時間が経過すると、グラウト薬液を再度注入するステップを含むことができる。
【００７３】
これは、前記グラウチング領域にグラウト薬液の充填を完了した後、数十分が経過すると、充填されたグラウト薬液、すなわちセメントミルクの固化と共に乾燥収縮が起こり、これにより前記第２のパッキング３３ｂの近くにスペースが存在することになるが、前記スペースにグラウト薬液を注入するためには、グラウト薬液の追加の注入が要求されるためである。
【００７４】
このとき、前記第２のグラウチング管４１は、その一端部が前記第２のパッキング３３ｂに近接するように設けられるので、乾燥収縮により１次グラウト薬液が充填されなかった前記第２のパッキング３３ｂの近くに、グラウト薬液をより容易に充填することができる。
【００７５】
上記のような本発明の特徴的なステップが進行されると、その後は、工事を仕上げる作業が進行される。
【００７６】
例えば、ワイヤーメッシュを地盤壁面に設けるステップが進行される。
【００７７】
次に、前記ワイヤーメッシュ上に鉄筋を横に配置した後、前記ネイル３１に締結されるプレートおよびナットで前記鉄筋を圧着固定するステップが進行される。
【００７８】
最後に、ショットクリートを打設するステップが進行され、本発明の圧力式ソイルネイリング（登録商標）用パッカー機を用いたソイルネイリング（登録商標）が完了される。
【００７９】
以上において本発明の好ましい実施例を説明したが、本発明は多様な変化と変更および均等物を用いることができ、前記実施例を適切に変形して同様に応用できることは言うまでもない。従って、上記の記載内容は、下記の特許請求の範囲の限界により定められる本発明の範囲を限定するものではない。
【００８０】
【発明の効果】
上述したように、本発明の圧力式ソイルネイリング（登録商標）用パッカー機およびこれを用いたソイルネイリング（登録商標）工法は、次のような効果がある。
【００８１】
急結性膨張剤を注入したパッカー機を用いて穿孔ホールの内面を堅固に密閉させた状態で加圧によるグラウチングを進行するので、グラウチング作業を短時間に完了することができ、その分施工時間を短縮させることができる。
【００８２】
また、加圧式ソイルネイリング（登録商標）により、地盤に形成された空隙または節理にまでグラウチング薬液を堅固に充填することができるので、地盤補強体の安定性を向上させることができる。
【図面の簡単な説明】
【図１】本発明の圧力式ソイルネイリング（登録商標）用パッカー機の斜視図である。
【図２】本発明の圧力式ソイルネイリング（登録商標）用パッカー機の分解斜視図である。
【図３】本発明の圧力式ソイルネイリング（登録商標）用パッカー機の設置の様子を説明するための地盤断面図である。
【図４】本発明が圧力式ソイルネイリング（登録商標）用パッカー機を用いたソイルネイリング（登録商標）工法をステップ別に示したフローチャートである。
【図５】（ａ）〜（ｄ）は、従来技術によるソイルネイリング（登録商標）工法を説明するための施工順次図である。
【図６】従来のソイルネイリング（登録商標）工法によるネイルの設置例を示した概念図である。
【符号の説明】
３１    ネイル
３３ａ    第１のパッキング
３３ｂ    第２のパッキング
３５    不織布
３７    第１のグラウチング管
３９    空気および異物除去管
４１    第２のグラウチング管
４３    発砲ウレタン注入管